(57)【要約】【課題】  ブロック積み工事やフェンス柱設置工事の延長が１０メートルを超える場合でも、水糸が垂むという問題を解消させるとともに、そこに設置する貫板が完全不動な状態で固定され、収納や持ち運びの利便性を向上させることができる貫板設置具を提供すること。【解決手段】  本発明の貫板設置具は、積み上げるべきブロックを設置する基礎上部、又は積み上げてモルタルが充分硬化し、施工完了状態にあるブロックの上部に、多段分の積むべきブロックの高さ方向を設定する貫板を、完全不動の状態で取付けられる貫板設置具において、矩形状の台部１０と、台部１０の両端に装着された、ブロックＡの両側面を挟持する挟持部２０と、前記台部１０の略中央部に立設された支軸部３０と、該支軸部３０に具備された、貫板２を保持固定する貫板固定部４０とを備えることを特徴とする。  また前記挟持部２０は、前記台部１０の両端に着脱自在に装着され、脚部２２に緩衝部材２６を設置した。【選択図】図１
2016125334.tif 000002
【特許請求の範囲】
【請求項１】
積み上げるべきブロックを設置する基礎上部、又は積み上げてモルタルが充分硬化し、施工完了状態にあるブロックの上部に、多段分の積むべきブロックの高さ方向を設定する貫板を、完全不動の状態で取付けられる貫板設置具において、貫板設置具は、矩形状の台部と、台部の両端に装着された、ブロックの両側面を挟持する挟持部と、前記台部の略中央部に立設された支軸部と、該支軸部に具備された、貫板を保持固定する貫板固定部とを備えることを特徴とする貫板設置具。
【請求項２】
前記挟持部は、前記台部の両端に着脱自在に装着される請求項１記載の貫板設置具。
【請求項３】
前記挟持部の脚部に緩衝部材を設置した請求項２記載の貫板設置具。
【請求項４】
前記貫板固定部は、支軸部の上下方向に二体設置されている請求項１乃至３のうちいずれか１項に記載の貫板設置具。
【請求項５】
前記貫板固定部のアームに、貫板固定手段を螺入するネジ穴を複数穿孔させた請求項４記載の貫板設置具。
【発明の詳細な説明】
【技術分野】
【０００１】  本発明は、積み上げるべきブロックを設置する基礎上部、又は積み上げてモルタルが充分硬化し、施工完了状態にあるブロックの上部に、多段分の積むべきブロックの高さ方向を設定する貫板を、完全不動の状態で取付けられる貫板設置具に関する。
【背景技術】
【０００２】  一般的にブロック積施工等には、地面に２本の杭を打ち込み、基準の高さ（レベル）を示す横丁張を架け、そこに積むべきブロックの位置を印出し、そこから鉛直上方に縦丁張を架設し、かつその縦丁張が、水糸の張りによって倒れたり、捻れたり、ズレたりすることのないよう、その縦丁張の貫板の上方に積むべきブロックの延長方向とその直角方向に、２本の筋交いを釘止め固定し、丁張設置完了後に施工を行っていた。一方で、地面がコンクリートやアスファルト舗装という場合、杭は打ち込めない。その場合の施工例としては、本出願人の丁張用貫板設置具を用いるという一例もある。
【先行技術文献】
【特許文献】
【０００３】  前記設置具の従来技術として、本出願人より、コンクリートブロック等を積み上げる場合に、その位置や高さ方向を容易に決められるように、丁張工事を簡略化した丁張用貫板設置具が提案されている（例えば特許文献１参照）。
上掲特許文献１の丁張用貫板設置具は、積上げるべきブロックを設置する基礎端部や、積上げた前記ブロックの両側壁を挟むように取付けるコ字状の開口端側から突出して設けると共に、前記基礎の端面から離間した状態で保持されて、前記ブロックの高さ方向を設定する貫板取付用の貫板保持体とを備えることを特徴とする。
【特許文献１】  特開２００９−１９７５６９号公報
【発明の概要】
【発明が解決しようとする課題】
【０００４】  上掲特許文献１の丁張用貫板設置具は、地面に杭を打ち込んだり、この杭に水平に取付ける貫板（横丁張）、鉛直に取付ける貫板（縦丁張）、またその縦丁張を支持する筋交いを設置する面倒な作業や釘打ちの作業が不要になるという特徴を有する。しかし一方で、積むべきブロックの延長が１０メートルを超える場合、水糸をいくら強く張っても中間部分が垂れるという問題がある。そこで先にもどるが、１０メートルを超えない範囲で、従来の丁張を積むべきブロックの延長区間の途中に設置していくという方法もあるが、時間がかかり、積むべきブロックの延長区間外に設置する場合より、より困難をきたす。【０００５】  そこで本発明は上記の点に鑑み、ブロック積み工事やフェンス柱設置工事の延長が１０メートルを超える場合でも、水糸が垂むという問題を解消させるとともに、そこに設置する貫板が完全不動な状態で固定され、収納や持ち運びの利便性を向上させることができる貫板設置具を提供することにある。
【解決を解決するための手段】
【０００６】  上記課題を解決するため、本発明の貫板設置具は、積み上げるべきブロックを設置する基礎上部、又は積み上げてモルタルが充分硬化し、施工完了状態にあるブロックの上部に、多段分の積むべきブロックの高さ方向を設定する貫板を、完全不動の状態で取付けられる貫板設置具において、貫板設置具は、矩形状の台部と、台部の両端に装着された、ブロックの両側面を挟持する挟持部と、前記台部の略中央部に立設された支軸部と、該支軸部に具備された、貫板を保持固定する貫板固定部とを備えることを特徴とする。
【０００７】  また前記挟持部は、前記台部の両端に着脱自在に装着される。
【０００８】  また、前記挟持部の脚部に緩衝部材を設置した。
【０００９】  さらに前記貫板固定部は、支軸部の上下方向に二体設置されている。
【００１０】  またさらに、前記貫板固定部のアームに、貫板固定手段を螺入するネジ穴を複数穿孔させた。
【発明の効果】
【００１１】  本発明の貫板設置具は、矩形状の台部と、台部の両端に装着された、ブロックの両側面を挟持する挟持部と、前記台部の略中央部に立設された支軸部と、該支軸部に具備された、貫板を保持固定する貫板固定部とを備えることで、ブロック積み工事やフェンス柱設置工事の延長が１０メートルを超える場合でも、本発明の貫板設置具を１０メートルを超えない範囲内で架設しておくことにより、水糸が垂むという問題を解消できる。ただし、技術的に述べれば、冬等の強風時を鑑みてみれば、８〜６メートル範囲内という場合もあり、１０メートルを超えない範囲とは、無風状態等、平静な場合を示す。
【００１２】  また前記挟持部は、前記台部の両端に着脱自在に装着されるため、台部から挟持部を取り外すことにより、収納や持ち運びの際の利便性が向上する。
【図面の簡単な説明】
【００１３】
【図１】本発明の貫板設置具の斜視図である。
【図２】前記貫板設置具の分解斜視図である。
【図３】一体型の貫板設置具の斜視図である。
【図４】前記貫板設置具の使用状態の側面図である。
【図５】前記貫板設置具の他の側面図である。
【図６】使用状態の全体斜視図である。
【発明を実施するための形態】
【００１４】  本発明の貫板設置具は、ブロック積み工事やフェンス柱設置工事において、その延長が１０メートルを超える場合においても、本発明の貫板設置具を１０メートル以内の間隔で設置しておくことにより、水糸の垂みの問題が解消されると共に、そこに取付けられた貫板は、完全不動な状態で保持されることにより、正確かつ迅速な施工が可能となる。
【００１５】  また、従来の丁張工事に、必要不可欠とされた、二方向の筋交いの設置も、本発明の貫板設置具においては、貫板の代わりに、アルミスタッフ、水平器等の、アルミやスチール製のしなりのない製品を用いれば不要となる。他方面で、木杭、貫板等は、割れたり腐食したりする、いわば消耗品であるが、前述のアルミ、スチール製品は、その心配のない永久品であり、経済面においても有効な手段となる。
以下、本発明の貫板設置具における実施の形態を図面に基づいて説明する。
【００１６】  図示する貫板設置具１は、矩形状の台部１０と、台部１０の両端に装着された、ブロックＡの両側面を挟持する挟持部２０と、前記台部１０の略中央部に立設された支軸３０部と、該支軸部３０に具備された、貫板２を保持固定する貫板固定部４０とを備える。
【００１７】  台部１０は中空状の矩形状を呈しており、両側部には、後述詳細の挟持部２０を装着する平板部１１が固定されている。
【００１８】  挟持部２０は、ブロックＡの両側面を挟持して貫板設置具１を、積み上げたブロック等に固定するものである。前記挟持部２０は、上面部２１と、脚部２２と、前記脚部２２間に跨設された離間部２３とで構成されている。
【００１９】  また前記挟持部２０の上面部２１には、前記台部１０の平板部１１を保持固定する平板部取付手段２４を備える。また脚部２２には、ブロックＡの両側部を挟持するブロック取付手段２５が設置されている。なお本発明の貫板設置具は、図３に示すように、前記台部１０と挟持部２０とを一体化した構造であってもよい。
【００２０】  また他の好適例として、前記挟持部２０の脚部２２に緩衝部材２６を取付けることが好ましい。前記緩衝部材２６は、木製やゴム製等の素材で形成されており、ブロック取付手段２５が設置されている脚部２２と対向する側の脚部２２に装着されている。そのことにより、図５に示すように、挟持部２０でブロックを挟持固定した際、ブロックＡとスチール製の本設置具とを直接固定した場合に比べ、緩衝部材２６を挟むことによって、摩擦力が増大し、水糸を切れるまで強く張った場合においても、本設置具がズレたり持ち上がるようなこともない。また取付手段２４，２５のボルトの先端に回転自在な皿状の押え板を有するアジャスターボルトにしていることで、前記摩擦力をさらに増大させている。
【００２１】  前記台部１０の略中央部には、中空矩形状の支軸部３０が立設されている。また前記支軸部３０には、貫板２を保持固定する貫板固定部４０が設置されている。
【００２２】  貫板固定部４０は、貫板２を支軸部３０に固定するもので、Ｌ字状のアーム４１と、該アーム４１の長片側に設置された貫板固定手段４２とからなる。この貫板固定手段４２も、前述同様、アジャスターボルトにより構成され、取付けられる貫板を完全不動な状態で固定するための一つの要因となっている。
【００２３】  また特に、前記貫板固定部４０は、支軸部３０の上下方向に二体設置することが好ましい。そのことにより、図４に示すように、貫板２が適宜間隔を有して上下方向で固定されるため、貫板の傾動が阻止され、積むべきブロックの正確な鉛直度及び所定の高さを完全不動な状態で保持することができる。
【００２４】  次に、本発明の貫板設置具の使用方法を図４乃至図６に基づいて説明する。
先ず、台部１０の両側の平板部１１を、挟持部２０の上面部２１と離間部２３との隙間部分に配置させ、平板部取付手段２４にて挟持部２０を装着する。なお、台部１０と挟持部２０とが一体化された貫板設置具においてはこの操作は不要となる。
【００２５】  次に、挟持部２０の両脚部２２をブロックＡの側面に配置させ、ブロック取付手段２５を操作して貫板設置具１をブロックＡに装着する。この際、貫板設置具１は、既に設置している二本の貫板間の略中央部分に装着することが好ましい。
【００２６】  貫板設置具１をブロックＡに装着した後、支軸部３０と貫板固定部４０との間に貫板２を配置させる。貫板２の配置後、貫板固定手段４２を操作させ、貫板２を支軸部３０に固定する。
【００２７】  また他の好適例として、前記貫板固定部４０のアーム４１に、貫板固定手段４２のネジ穴４３を左右複数設けることで、貫板の他、スタッフ（箱尺）、水平器、半ヌキ板等を用いても、積むべきブロックの両側面や、いろいろな位置に水糸が張れるようになる。その場合、貫板固定手段４２のアジャスターボルトは、皿状の押え板が、ボルトの先端に切り込んだネジ穴のネジの脱着により、取り外し自在にしたアジャスターボルト、又は普通のボルトに市販の「オールアンカー」の回転自在な皿状の押え板を有するナットを普通のナットを用い、ダブルナットにより固定した組立式のアジャスターボルトとしたもの等を使用することにより、どのネジ穴にも、そのアジャスターボルトが移設取付可能となる。一方、前記複数のネジ穴に、複数のアジャスターボルトを配し、それによって貫板等を固定すれば、より確実に貫板が固定されると言うことは言うまでもない。
【００２８】  貫板２を支軸部３０に固定した後、水糸４を、図示しないが、貫板２に、取付けられた釘等に固定する。好適例として、図示するように、貫板の代わりに、水平器３を備えることが、前述のように、好ましく、てっとり速い。その場合、釘止め不可能な水平器、アルミスタッフ等については、諸定の高さ（レベル）の位置に市販のバイス等を固定し、そこに水糸を固定すればよい。
【００２９】  さらに細説すれば、木製の貫板等は、必ずと言っていいほどくるいがあり、真っ直ぐではない。その板のくるいに気づかず、ブロックを積んでしまえば、鉛直度のくるった、ゆがんだブロック塀となってしまう。その点、縦丁張にアルミやスチール製の製品を用いれば、前述のようなあやまった施工が排絶される。
【００３０】  施工後、貫板２を貫板固定部４０から取り外し、貫板設置具１をブロックＡから抜き取る。さらに台部１０から挟持部２０を取り外して収納する。
【００３１】  上述の如く、本発明の貫板設置具１は、矩形状の台部１０と、台部１０の両端に装着された、ブロックＡの両側面を挟持する挟持部２０と、前記台部１０の略中央部に立設された支軸部３０と、該支軸部３０に具備された、貫板２を保持固定する貫板固定部４０とを備えることで、ブロック積み工事やフェンス柱設置工事の延長が１０メートルを超える場合でも、立設された貫板間の中間部分に装着することにより、水糸４が垂むという問題を、本発明の貫板設置具を１０メートル以内間隔で設置することにより解消できる。
【００３２】  また前記挟持部２０は、前記台部１０の両端に着脱自在に装着されるため、台部１０から挟持部２０を取り外すことにより、収納や持ち運びの利便性が向上する。
【００３３】  さらに細かい点を追説すると、最近、特に多くなってきた、約５ｃｍ間隔の縦溝を有するリブ型化粧ブロック及び、その縦溝を境に、そのリブが交互に凹凸を繰り返した形の化粧ブロック（「ウルトラＣ」）にも、本発明の貫板設置具を、挟持部２０のブロック取付手段２５のボルト芯々間の距離が、２０ｃｍ、３０ｃｍ・・・と、１０ｃｍきざみの間隔となるよう構成することで、前記リブ型ブロックへの取付けも可能となる。そのため、あらかじめ、その長さで本発明の貫板設置具を製作することにより、より多種類のブロックに、本発明の貫板設置具を取付けることが可能となる。
【符号の説明】
【００３４】１      貫板設置具
２      貫板
３      水平器
４      水糸
５      係止具
１０    台部
１１    平板部
２０    挟持部
２１    上面部
２２    脚部
２３    離間部
２４    平板部取付手段
２５    ブロック取付手段
２６    緩衝材
３０    支軸部
４０    貫板固定部
４１    アーム
４２    貫板固定手段
４３    ネジ穴
Ａ      ブロック
【図１】
2016125334.tif 000003
【図２】
2016125334.tif 000004
【図３】
2016125334.tif 000005
【図４】
2016125334.tif 000006
【図５】
2016125334.tif 000007
【図６】
2016125334.tif 000008